(57)【要約】【課題】安価な構成により、室内に導入される日射を制御できる電動シャッター装置を提供すること。【解決手段】電動シャッター装置１は、案内溝４０ａに沿って移動可能且つ両端部を結ぶ軸線の回りに回転不能とされて案内溝４０ａに沿った方向にて互いに連結された複数のスラット１０、スラット１０に連結されていて下枠５０に当接する座板１１、及び、隣接するスラット１０が案内溝４０ａに沿った方向にて相対移動することに伴って開口する開口部１２、からなり、窓部Ｍを開放し又は閉鎖するシャッターカーテン２０を備えている。制御部６４は、太陽位置とシャッターカーテン２０の方位とに応じて、スラット１０の少なくとも一部を移動させるようにモータ３２を作動させてシャッターカーテン２０の開口部１２を開き、太陽の日射を建物Ｈの室内に取り入れる採光状態にシャッターカーテン２０を制御する。【選択図】図１
2019085854.tif 000002
【特許請求の範囲】
【請求項１】
建物の建物開口の一側から他側に向けて延設された案内溝を有するガイドレールと、
帯状の両端部が前記案内溝に係合していて前記案内溝に沿って移動可能且つ前記両端部を結ぶ軸線の回りに回転不能とされて前記案内溝に沿った方向にて互いに連結された複数のスラット、及び、前記スラットに連結されていて前記他側に当接する座板、を含み、前記建物開口を開放し又は閉鎖するシャッターカーテンと、
前記一側に設けられて、前記シャッターカーテンの前記スラットを前記他側から前記一側に向けて移動させることにより前記シャッターカーテンを巻き取るとともに前記スラットを前記一側から前記他側に向けて移動させることにより前記シャッターカーテンを引き出すモータと、
前記モータを駆動させる駆動回路を介して前記モータの作動を制御する制御装置と、を備えた電動シャッター装置において、
前記制御装置は、
前記建物が存在する存在位置を表す位置情報を記憶する位置情報記憶部と、
前記位置情報記憶部に記憶された位置情報によって表される前記存在位置に応じて異なる太陽の日の出時刻及び日の入り時刻を表す暦情報を記憶する暦情報記憶部と、
前記シャッターカーテンの設置された設置位置を前記建物の北側、南側、東側及び西側の方位に対応させて設置位置情報として記憶する設置位置情報記憶部と、
前記日の出時刻後から前記日の入り時刻以前までの昼間において、前記位置情報記憶部に記憶された前記位置情報及び前記暦情報記憶部に記憶された前記暦情報から取得された太陽の位置を表す太陽位置と、前記設置位置情報記憶部に記憶された前記設置位置情報から取得された前記シャッターカーテンの前記設置位置と、に応じて、前記シャッターカーテンを構成する前記複数の前記スラットの少なくとも一部を前記一側に向けて移動させるように前記モータを作動させて前記シャッターカーテンの少なくとも一部を開き、前記太陽の日射を前記建物の室内に取り入れる採光状態に前記シャッターカーテンを制御する採光制御部と、を備えるように構成された、電動シャッター装置。
【請求項２】
前記採光制御部は、
前記設置位置情報記憶部に記憶された前記設置位置情報に基づき、
前記建物の前記北側に設置された前記シャッターカーテンの全部が開くように前記モータを作動させるとともに、
前記建物の前記南側、前記東側及び前記西側のうちの何れかの前記方位に対応して設置された前記シャッターカーテンにおいて、
前記昼間にて前記暦情報記憶部に記憶された前記暦情報に基づいて前記太陽位置が前記方位となる場合、前記方位に設置された前記シャッターカーテンの一部を開くように前記モータを作動させ、
前記昼間にて前記太陽位置と異なる前記方位に設置された前記シャッターカーテンの全部が開くように前記モータを作動させる、請求項１に記載の電動シャッター装置。
【請求項３】
前記採光制御部は、
前記太陽位置が前記方位となる場合、前記方位に設置された前記シャッターカーテンにおける前記複数の前記スラットの少なくとも一部を前記一側又は前記他側に向けて移動させるように前記モータを作動させて、前記シャッターカーテンを介して前記室内に入る前記太陽の日射量を調整する、請求項２に記載の電動シャッター装置。
【請求項４】
前記制御装置は、
前記昼間において任意に設定される設定時刻を表す設定時刻情報を記憶する設定時刻情報記憶部を有しており、
前記採光制御部は、
前記設定時刻情報記憶部に記憶された前記設定時刻情報によって表される前記設定時刻に、前記シャッターカーテンを前記採光状態に制御する、請求項１乃至請求項３のうちの何れか一項に記載の電動シャッター装置。
【請求項５】
前記スラットは、
前記太陽からの日射を通過させる開口部を有する固定羽と、
前記固定羽に重なるように連結されていて、隣接する前記スラットが前記案内溝に沿って互いに離間する方向に相対移動することに伴って前記開口部を閉じるとともに前記スラットが前記案内溝に沿って互いに接近する方向に相対移動することに伴って前記開口部を開く可動羽と、を有する、請求項１乃至請求項４のうちの何れか一項に記載の電動シャッター装置。
【請求項６】
前記スラットは、
隣接する前記スラットを前記案内溝に沿った方向にて遊びを有して連結するとともに、前記太陽からの日射を通過させる開口部を有する連結部材を有しており、
前記開口部は、
隣接する前記スラットが前記遊びの分だけ前記案内溝に沿って互いに離間する方向に相対移動することによって開けられ、前記スラットが前記遊びの分だけ前記案内溝に沿って互いに接近する方向に相対移動することによって閉じられる、請求項１乃至請求項４のうちの何れか一項に記載の電動シャッター装置。
【請求項７】
前記採光制御部は、
前記暦情報記憶部に記憶された前記暦情報から取得された前記太陽の高度を表す太陽高度に基づき、
前記太陽高度が高い場合において前記シャッターカーテンの前記座板と前記他側との間の離間距離を大きくし、
前記太陽高度が低い場合において前記離間距離を小さくする、請求項１乃至請求項４の内の何れか一項に記載の電動シャッター装置。
【発明の詳細な説明】
【技術分野】
【０００１】
本発明は、モータがシャッターカーテンの巻き取り及び引き出しを行う電動シャッター装置に関する。
【背景技術】
【０００２】
従来から、例えば、下記特許文献１に開示された電動シャッター制御装置が知られている。この従来の電動シャッター装置は、多数のスラットを上下に連結して構成されたシャッターカーテンと、スラット駆動部と、シャッターコントローラと、を備えている。シャッターカーテンは、モータ等からなる巻き取り駆動部がシャッターコントローラによって作動制御されて、ドラムが回転されることにより巻き取り又は引き出されるようになっている。又、各スラットは、モータ等からなるスラット駆動部がシャッターコントローラによって作動制御されて、一斉に任意角度に調整されるようになっている。
【０００３】
そして、従来の電動シャッター装置においては、シャッターコントローラが、日射情報や外気温情報等の屋外環境情報を逐次取得し、取得した屋外環境情報に基づいて各スラットの角度を増減調整する。これにより、室内に導入される日射（日射量）が制御されるようになっている。
【先行技術文献】
【特許文献】
【０００４】
【特許文献１】特開２００７−２７７８３３号公報
【発明の概要】
【発明が解決しようとする課題】
【０００５】
ところで、上記従来の電動シャッター装置では、屋内（室内）に導入される日射（日射量）を制御するために、各スラットの角度を増減調整するスラット駆動部を備える必要がある。これにより、電動シャッター装置が高価になる。
【０００６】
本発明は、上記課題を解決するためになされたものである。即ち、本発明の目的は、安価な構成により、室内に導入される日射を制御することができる電動シャッター装置を提供することにある。
【課題を解決するための手段】
【０００７】
上記の課題を解決するため、請求項１に係る電動シャッター装置の発明は、建物の建物開口の一側から他側に向けて延設された案内溝を有するガイドレールと、帯状の両端部が案内溝に係合していて案内溝に沿って移動可能且つ両端部を結ぶ軸線の回りに回転不能とされて案内溝に沿った方向にて互いに連結された複数のスラット、及び、スラットに連結されていて他側に当接する座板、を含み、建物開口を開放し又は閉鎖するシャッターカーテンと、一側に設けられて、シャッターカーテンのスラットを他側から一側に向けて移動させることによりシャッターカーテンを巻き取るとともにスラットを一側から他側に向けて移動させることによりシャッターカーテンを引き出すモータと、モータを駆動させる駆動回路を介してモータの作動を制御する制御装置と、を備えた電動シャッター装置において、制御装置は、建物が存在する存在位置を表す位置情報を記憶する位置情報記憶部と、位置情報記憶部に記憶された位置情報によって表される存在位置に応じて異なる太陽の日の出時刻及び日の入り時刻を表す暦情報を記憶する暦情報記憶部と、シャッターカーテンの設置された設置位置を建物の北側、南側、東側及び西側の方位に対応させて設置位置情報として記憶する設置位置情報記憶部と、日の出時刻後から日の入り時刻以前までの昼間において、位置情報記憶部に記憶された位置情報及び暦情報記憶部に記憶された暦情報から取得された太陽の位置を表す太陽位置と、設置位置情報記憶部に記憶された設置位置情報から取得されたシャッターカーテンの設置位置と、に応じて、シャッターカーテンを構成する複数のスラットの少なくとも一部を一側に向けて移動させるようにモータを作動させてシャッターカーテンの少なくとも一部を開き、太陽の日射を建物の室内に取り入れる採光状態にシャッターカーテンを制御する採光制御部と、を備えるように構成される。
【０００８】
これによれば、シャッターカーテンを巻き取り及び引き出すモータのみを作動させて、複数のスラットの一部を移動させることによりシャッターカーテンの少なくとも一部を開き、太陽の日射を建物の室内に取り入れる採光状態になる電動シャッター装置において、採光制御部は、建物の室内に導入される日射を制御することができる。これにより、室内に導入される日射（日射量）を制御するために、各スラットの角度を増減調整するスラット駆動部を備える必要がない。従って、安価な構成とされた電動シャッター装置を用いて、室内に導入される日射を制御することができる。
【図面の簡単な説明】
【０００９】
【図１】実施形態に係る電動シャッター装置の構成を示す構成図である。
【図２】図１のシャッターカーテンの構成を示すとともに閉状態を示す断面構成図である。
【図３】図１のシャッターカーテンの開状態を示す断面図である。
【図４】図１の制御装置の構成を示すブロック図である。
【図５】図４の制御部によって実行される日射制御プログラムのフローチャートである。
【図６】図４の制御部によって実行される日射調整サブルーチンのフローチャートである。
【図７】電動シャッター装置（シャッターカーテン）の設置位置を示す図である。
【図８】シャッターカーテンの採光状態を示す図である。
【図９】実施形態の第一変形例に係る電動シャッター装置の構成を示す構成図である。
【図１０】図９のシャッターカーテンの構成を示すとともに開状態を示す図である。
【図１１】図９のシャッターカーテンの閉状態を示す図である。
【図１２】第一変形例におけるシャッターカーテンの採光状態を示す図である。
【図１３】実施形態の第二実施形態に係り、シャッターカーテンの構成を示すとともに採光状態を示す図である。
【図１４】図１３のシャッターカーテンの夏の場合の離間距離を説明するための図である。
【図１５】図１３のシャッターカーテンの冬の場合の離間距離を説明するための図である。
【発明を実施するための形態】
【００１０】
以下、本発明の実施形態について図面を参照しながら説明する。尚、以下の実施形態及び各変形例の相互において、互いに同一又は均等である部分には、図中、同一符号を付してある。又、説明に用いる各図は、概念図であり、各部の形状は必ずしも厳密なものではない場合がある。
【００１１】
本実施形態の電動シャッター装置１は、図１に示すように、帯状の複数のスラット１０が上下方向に連結されることによって構成されて建物Ｈの建物開口である窓部Ｍを開放し又は閉鎖するシャッターカーテン２０と、シャッターボックス３０と、ガイドレール４０及び下枠５０と、を備えている。
【００１２】
シャッターボックス３０は、建物Ｈの一側である上部（天井側）に設けられており、ドラム３１と、モータ３２と、を備えている。ドラム３１は、シャッターカーテン２０の上端部に位置するスラット１０と、モータ３２と、に連結されている。ドラム３１は、モータ３２によって正逆方向に回転され、ドラム３１の回転に応じて、スラット１０（シャッターカーテン２０）の引き出し、又は、巻き取りが行われる。モータ３２は、ドラム３１を駆動する駆動部であり、例えば、直流モータから構成される。
【００１３】
シャッターカーテン２０は、帯状のスラット１０の両端部が、一側である天井側から他側である床面側に設置された下枠５０に向けて延設された案内溝４０ａを有して立設されるガイドレール４０に対して係合し、案内溝４０ａによってガイドされる。これにより、スラット１０は、案内溝４０ａに沿って移動可能且つ両端部を結ぶ軸線（図示省略）の回りに回転不能とされる。ドラム３１及びドラム３１に巻き取られたスラット１０（シャッターカーテン２０）は、シャッターボックス３０内に収容されるようになっている。
【００１４】
シャッターカーテン２０は、図１に示すように、複数のスラット１０と、床面側に固定された下枠５０に当接する座板１１と、から構成されている。座板１１が下枠５０（又は、床面側）に当接してシャッターカーテン２０（電動シャッター装置１）が閉じた場合においては、例えば、モータ３２の回転がロックされて、建物Ｈの外部（室外）から、シャッターカーテン２０をシャッターボックス３０に向けて、即ち、上方に向けて持ち上げる（巻き取る）ことが不能になる。
【００１５】
本実施形態において、スラット１０は、図２及び図３に示すように、可動羽１００と、可動羽１００が室外の側から重なる固定羽１０１と、を有している。可動羽１００は、上端部に下前フック１００ａと、上前フック１００ｂと、中前フック１００ｃと、が形成されている。固定羽１０１は、上端部に上後フック１０１ａと、下端部に下後フック１０１ｂと、突起１０１ｃと、が形成されている。又、固定羽１０１は、開口部１２が形成されている。
【００１６】
このように可動羽１００及び固定羽１０１から構成されるスラット１０は互いに連結されてシャッターカーテン２０を形成する。具体的に、図２及び図３にて上側に位置するスラット１０の固定羽１０１に設けられた突起１０１ｃと下後フック１０１ｂとは、図２及び図３にて下側に位置するスラット１０の可動羽１００に設けられた上前フック１００ｂに対して係合される。又、室外の側に位置するスラット１０の可動羽１００の下前フック１００ａと中前フック１００ｃとは、室内の側に位置する固定羽１０１に設けられた上後フック１０１ａに対して係合される。これにより、隣接するスラット１０同士が連結されて、シャッターカーテン２０を構成する。
【００１７】
又、固定羽１０１は、複数のスリット状の孔から構成される開口部１２を有している。開口部１２は、可動羽１００に覆われるように固定羽１０１に形成されている。ここで、可動羽１００、固定羽１０１及び開口部１２の設けられたスラット１０は、シャッターカーテン２０を構成する複数のスラット１０のうち、少なくとも一つ以上設けられていれば良い。又、固定羽１０１に設けられる開口部１２は、スラット１０の幅方向のうち、一部が開口されることによって構成されても良い。更に、開口部１２は、スリット孔に金網等が設けられても良い。この場合、可動羽１００は、開口部１２に応じて一つのスラット１０の開口部１２毎に幅方向に複数設けられても良いし、幅方向にある複数の開口部１２に対して一つの可動羽１００が設けられるようにしても良い。
【００１８】
次に、シャッターカーテン２０、より具体的には、スラット１０の作動を説明する。図１に示すように、座板１１が下枠５０（他側である床面側）に当接した状態で、シャッターカーテン２０は、可動羽１００を閉じた閉状態又は可動羽１００を開いた開状態に切り替えられる。閉状態においては、図２に示すように、可動羽１００は、開口部１２を覆うように固定羽１０１に対して少なくとも一部分が当接し、且つ、固定羽１０１に沿うように閉じる。可動羽１００が閉状態である場合、開口部１２を介して、室外から室内に向けての光や風の通過が遮断される。
【００１９】
一方、可動羽１００が開状態となる場合、図３に示すように、隣接する上側のスラット１０と下側のスラット１０とが上下方向において相対移動することにより、上側のスラット１０が下側のスラット１０を押圧して、可動羽１００が固定羽１０１に対して角度を有するように開く。これにより、可動羽１００が開状態になった場合、可動羽１００は開口部１２を覆うことがなく、開口部１２を介して、室外から室内に向けての光や風の通過が可能になる。
【００２０】
具体的に、可動羽１００の開状態を説明すると、シャッターカーテン２０が引き出されて建物Ｈの窓部Ｍを閉鎖した（電動シャッター装置１を閉じた）状態になった後、更にシャッターカーテン２０を引き出すようにモータ３２が所定の回転数だけ、例えば、正回転する。この場合、上側のスラット１０は下側のスラット１０に向けて相対移動し、図３に示すように、上側の可動羽１００の突起１０１ｃの先端部ｘが下側の可動羽１００の下前フック１００ａに形成された当接面ｙの室内の側に向けて押圧する。これにより、下側のスラット１０の固定羽１０１の上後フック１０１ａを支点とし、可動羽１００が開状態になる。ここで、上側のスラット１０が下側のスラット１０に向けて相対移動することによって可動羽１００が開状態になるため、図２に示すように、シャッターカーテン２０においては、可動羽１００が座板１１の側からシャッターボックス３０に向けて、即ち、下側から上側に向けて順に開状態になる。
【００２１】
又、可動羽１００が開状態になった後、シャッターカーテン２０を巻き取るようにモータ３２が所定の回転数だけ、例えば、逆回転することにより、隣接する上側のスラット１０は下側のスラット１０から離間する方向（即ち、上側）に相対移動する。これにより、上側の可動羽１００の突起１０１ｃの先端部ｘが下側の可動羽１００の下前フック１００ａに形成された当接面ｙから離間する。従って、可動羽１００は、図２に示す閉状態になる。
【００２２】
又、電動シャッター装置１は、図１に示すように、制御装置６０を備えている。制御装置６０は、図４に具体的に示すように、操作部６１と、検出部６２と、外部通信部６３と、制御部６４と、記憶部６５と、駆動回路６６と、から構成される。
【００２３】
操作部６１は、制御部６４に、有線又は無線により接続されている。操作部６１は、住人によって操作される開スイッチ６１ａ、停止スイッチ６１ｂ、閉スイッチ６１ｃ、及び、設定入力スイッチ６１ｄを備えている。
【００２４】
開スイッチ６１ａは、シャッターカーテン２０を巻き上げて電動シャッター装置１を開ける、或いは、住人が手動操作によって可動羽１００を閉状態とするスイッチである。停止スイッチ６１ｂは、シャッターカーテン２０の引き出し作動又は巻き上げ作動を停止するスイッチである。閉スイッチ６１ｃは、シャッターカーテン２０を引き出して電動シャッター装置１を閉める、或いは、住人が手動操作によって可動羽１００を開状態とするスイッチである。
【００２５】
設定入力スイッチ６１ｄは、住人又は電動シャッター装置１の設置作業者によって各種情報を入力するためのスイッチ（キーボードを含む）である。ここで、設定入力スイッチ６１ｄを用いて入力される各種情報として、建物Ｈが存在する存在位置、例えば、都道府県や経度及び緯度等を表す位置情報、シャッターカーテン２０の設置された設置位置を建物Ｈにおける北側、南側、東側及び西側の方位に対応させた設置位置情報、及び、太陽の日の入り時刻後から日の入り時刻以前までの昼間において任意に設定される設定時刻、例えば、住人の起床時刻を表す設定時刻情報である。
【００２６】
そして、開スイッチ６１ａ、停止スイッチ６１ｂ、閉スイッチ６１ｃ、及び、設定入力スイッチ６１ｄは、住人又は設置作業者によって操作されると、制御部６４に対して、それぞれ、スイッチに応じた信号であるスイッチ信号を出力する。
【００２７】
検出部６２は、制御部６４に、有線又は無線により接続されている。検出部６２は、当接検知センサ６２ａと、建物Ｈ（部屋）の内部に設けられる室内温度センサ６２ｂと、建物Ｈの外部に設けられる室外温度センサ６２ｃと、から構成される。
【００２８】
当接検知センサ６２ａは、シャッターカーテン２０の座板１１が下枠５０（他側である床面側）に当接したことを検知する。当接検知センサ６２ａは、例えば、モータ３２に内蔵されたエンコーダ（図示省略）から、モータ３２が所定量回転する毎に出力される位置パルスを取得する。ここで、位置パルスは、モータ３２の回転速度が遅くなるにつれてパルス幅が大きくなり、モータ３２の回転速度が速くなるにつれてパルス幅が小さくなる。従って、当接検知センサ６２ａは、取得した位置パルスのパルス幅に応じて、モータ３２の回転速度（回転数）、換言すれば、モータ３２の負荷を検出する。尚、当接検知センサ６２ａは、位置パルスをカウントすることにより、モータ３２の回転速度（回転数）、換言すれば、モータ３２の負荷を検出しても良い。当接検知センサ６２ａは、検出したモータ３２の回転速度（回転数）を制御部６４に出力する。
【００２９】
室内温度センサ６２ｂは、室内の温度（室温）を検知する。室内温度センサ６２ｂは、検出した室温を制御部６４に出力する。室外温度センサ６２ｃは、室外の温度（外気温）を検知する。室外温度センサ６２ｃは、検出した外気温を制御部６４に出力する。
【００３０】
外部通信部６３は、制御部６４に、有線又は無線により接続されている。外部通信部６３は、通信回線（例えば、インターネット等）を介して、外部のサーバ（図示省略）と通信する。外部通信部６３は、外部のサーバから太陽の日の出時刻や日の入り時刻の暦情報、現在の年月日を表すカレンダー情報、現在の時刻を表す時刻情報、現在の気象を表す気象情報等を取得する。外部通信部６３は、取得した暦情報やカレンダー情報、時刻情報、気象情報を制御部６４に出力する。
【００３１】
制御部６４は、図４に示すように、ＣＰＵ、ＲＯＭ、ＲＡＭ、タイマ、各種インターフェース、外部記憶装置等（何れも図示省略）を備えたマイクロコンピュータを主要構成部品とし、操作部６１のスイッチの操作に応じて、又は、自動的に、モータ３２の駆動を制御する。制御部６４は、採光制御部６４ａ及び遮光制御部６４ｂを備えている。
【００３２】
採光制御部６４ａは、太陽の日の出時刻後から日の入り時刻以前までの昼間において、記憶部６５に記憶された上述の各種情報に基づいて、シャッターカーテン２０を構成する複数のスラット１０の少なくとも一部をシャッターボックス３０（一側であって天井側）に向けて移動させるようにモータ３２を作動させる。これにより、採光制御部６４ａは、シャッターカーテン２０の少なくとも一部を開き、シャッターカーテン２０を太陽の日射を建物Ｈの室内に取り入れる採光状態に制御する。
【００３３】
遮光制御部６４ｂは、太陽の日の入り時刻後から日の出時刻以前までの夜間において、シャッターボックス３０（一側であって天井側）に向けて移動させたスラット１０を下枠５０（他側であって床）に向けて移動させるようにモータ３２を作動させる。これにより、遮光制御部６４ｂは、シャッターカーテン２０を閉め、光を遮光する遮光状態にシャッターカーテン２０を制御する。
【００３４】
具体的に、制御部６４を構成する採光制御部６４ａは、シャッターカーテン２０（電動シャッター装置１）を開ける（開放する）「開モード」と、シャッターカーテン２０（電動シャッター装置１）を閉じた状態で可動羽１００を全開の開状態又は全閉の閉状態とする「開閉モード」と、開閉モードにおいて可動羽１００の開量を全開よりも小さくする「開閉調整モード」と、を実行する。制御部６４を構成する遮光制御部６４ｂは、シャッターカーテン２０（電動シャッター装置１）を閉める（閉鎖する）「閉モード」を実行する。採光制御部６４ａ及び遮光制御部６４ｂは、上記各モードに応じた指令を駆動回路６６に出力する。
【００３５】
ここで、採光制御部６４ａは、開モードを実行する場合（或いは、住人によって操作部６１の開スイッチ６１ａが操作された場合）、モータ３２の逆転駆動によりシャッターカーテン２０をドラム３１に巻き取らせて上昇させる指令（以下、「開指令」と称呼する。）を駆動回路６６に出力する。又、遮光制御部６４ｂは、閉モードを実行する場合（或いは、住人によって操作部６１の閉スイッチ６１ｃが操作された場合）、モータ３２の正転駆動によりシャッターカーテン２０をドラム３１から引き出させて下降させる指令（以下、「閉指令」と称呼する。）を駆動回路６６に出力する。
【００３６】
又、採光制御部６４ａは、開閉モードを実行する場合、一旦、閉指令を駆動回路６６に出力する。更に、採光制御部６４ａ及び遮光制御部６４ｂは、開指令又は閉指令を出力しているときに、座板１１が下枠５０（床面側）に当接した場合、或いは、住人によって操作部６１の停止スイッチ６１ｂが操作された場合、モータ３２の駆動を停止させる指令（以下、「停止指令」と称呼する。）を駆動回路６６に出力する。
【００３７】
尚、採光制御部６４ａ及び遮光制御部６４ｂは、開閉モード及び閉モードにおいて、検出部６２の当接検知センサ６２ａからモータ３２の回転速度（回転数）を一定周期毎に取得する。採光制御部６４ａ及び遮光制御部６４ｂは、取得した回転速度（回転数）が予め設定された全閉閾値以下であるか否かを判定し、シャッターカーテン２０が閉状態であるか否かを検出する。全閉閾値は、シャッターカーテン２０（即ち、電動シャッター装置１）が閉じられたことを判定する値であり、シャッターカーテン２０の座板１１が下枠５０（他側である床面側）に当接したときのモータ３２の回転速度（回転数）の値である。全閉閾値は、可動羽１００が閉状態から開状態になるまでのシャッターカーテン２０（より詳しくは、複数のスラット１０）の移動距離に応じて決定される。
【００３８】
そして、採光制御部６４ａ及び遮光制御部６４ｂは、当接検知センサ６２ａから取得した回転速度（回転数）が全閉閾値以下の場合、シャッターカーテン２０の座板１１が下枠５０（床面側）に当接したと判定する。この場合、採光制御部６４ａ及び遮光制御部６４ｂは、駆動回路６６に停止指令を出力することにより、モータ３２即ちシャッターカーテン２０の動作を停止させる。
【００３９】
又、採光制御部６４ａは、開閉モードにおいて、モータ３２を正転駆動させて、スラット１０の可動羽１００を全開の開状態とする指令（以下、「開方向旋回指令」と称呼する。）を駆動回路６６に出力する。又、採光制御部６４ａは、開閉モードにおいて、モータ３２を逆転駆動させて、スラット１０の可動羽１００を全閉の閉状態とする指令（以下、「閉方向旋回指令」と称呼する。）を駆動回路６６に出力する。
【００４０】
ここで、開方向旋回指令は、モータ３２の回転速度（回転数）が全閉閾値以下になっている状態で、モータ３２を所定の回転数だけ正回転させる指令、即ち、モータ３２にスラット１０の可動羽１００を開方向に作動させて全開の開状態にする指令である。又、閉方向旋回指令は、モータ３２の回転速度（回転す）が全閉閾値以下になっている状態で、モータ３２を所定の回転数だけ逆回転させる指令、即ち、モータ３２にスラット１０の可動羽１００を閉方向に作動させて全閉の閉状態にする指令である。
【００４１】
更に、採光制御部６４ａは、開閉調整モードにおいて、スラット１０の可動羽１００を全開の状態から開量を小さくして開状態とする指令（以下、「開量調整指令」と称呼する。）を駆動回路６６に出力する。
【００４２】
ここで、開量調整指令は、可動羽１００を全開にするようにモータ３２を所定の回転数だけ正回転させた状態から、所定の回転数よりも少ない回転数だけ逆回転させる指令、即ち、モータ３２にスラット１０の可動羽１００を閉方向に作動させて開量を調整する指令である。開閉調整モードが実行された場合のシャッターカーテン２０は、座板１１の側となる下部の複数のスラット１０の可動羽１００のみが開状態、又は、スラット１０の可動羽１００の全部が全開よりも小さな開量となる半開状態になる。
【００４３】
制御装置６０は、図４に示すように、記憶部６５を備えている。記憶部６５は、位置情報記憶部６５ａ、暦情報記憶部６５ｂ、設置位置情報記憶部６５ｃ及び設定時刻情報記憶部６５ｄを有している。位置情報記憶部６５ａは、設定入力スイッチ６１ｄを用いて入力された建物Ｈの存在位置（都道府県や、経度及び緯度）を表す位置情報を記憶している。
【００４４】
暦情報記憶部６５ｂは、外部通信部６３によって外部から取得された太陽の日の出時刻及び日の入り時刻を表す暦情報、現在の年月日を表すカレンダー情報、現在の時刻を表す時刻情報、及び、現在の気象を表す気象情報等を記憶している。尚、暦情報については、位置情報記憶部に記憶された位置情報及びカレンダー情報を用いて算出可能であるため、例えば、暦情報記憶部６５ｂは、算出式を記憶しておくことも可能である。この場合には、外部通信部６３を用いなくても良い。又、カレンダー情報及び時刻情報については、制御部６４のタイマを用いてカウントすることが可能であるため、例えば、定期的に外部のサーバから現在の年月日及び時刻を取得して記憶しておくことも可能である。
【００４５】
設置位置情報記憶部６５ｃは、シャッターカーテン２０の設置された設置位置を建物Ｈの北側、南側、東側及び西側の方位に対応させて（図７を参照）設置位置情報として記憶する。ここで、設置位置情報は、設定入力スイッチ６１ｄを用いて入力（設定）される。設定時刻情報記憶部６５ｄは、設定入力スイッチ６１ｄを用いて入力（設定）された昼間における設定時刻、例えば、起床時刻を設定時刻情報として記憶している。
【００４６】
駆動回路６６は、制御部６４から出力された上記各指令を取得する。駆動回路６６は、各指令のうち、取得した指令に応じて、例えば、モータ３２に供給する電力（電流）を制御し、モータ３２を正転駆動又は逆転駆動させる。
【００４７】
次に、電動シャッター装置１の制御装置６０、より詳しくは、採光制御部６４ａ及び遮光制御部６４ｂから構成される制御部６４による電動シャッター装置１の日射制御について、図５及び図６のフローチャートに基づいて詳細に説明する。ここで、以下に説明する日射制御は、日射が強くなる夏において太陽の日射を適切に室内に取り入れるように、建物Ｈの北側、南側、東側、西側に設置された電動シャッター装置１をそれぞれ制御する場合を例示する。尚、以下の説明においては、図７に示すように、建物Ｈの北側に設置される電動シャッター装置１Ｎ、南側に設置される電動シャッター装置１Ｓ、東側に設置される電動シャッター装置１Ｅ、及び、西側に設置される電動シャッター装置１Ｗとして区別する。又、以下においては、電動シャッター装置１Ｎ，１Ｓ，１Ｅ，１Ｗを構成する各部材については、例えば、図８に示すように、それぞれの符号末尾に、「Ｎ」，「Ｓ」，「Ｅ」，「Ｗ」を付して説明する。
【００４８】
採光制御部６４ａ及び遮光制御部６４ｂ、即ち、制御部６４（より詳しくは、制御部６４のＣＰＵ。以下、同じ。）は、図５に示す日射制御プログラムの実行をステップＳ１０にて開始する。続くステップＳ１１にて、制御部６４（採光制御部６４ａ）は、暦情報記憶部６５ｂに記憶されている時刻情報に基づく現在の時刻と、設定時刻情報記憶部６５ｄに記憶された設定時刻情報によって表される起床時刻と、を比較して、現在の時刻が起床時刻であるか否かを判定する。即ち、採光制御部６４ａは、現在の時刻が起床時刻になっていれば、「Ｙｅｓ」と判定してステップＳ１２に進む。一方、採光制御部６４ａは、未だ、起床時刻になっていなければ「Ｎｏ」と判定し、起床時刻になるまで繰り返しステップＳ１１を実行する。
【００４９】
ステップＳ１２においては、制御部６４（採光制御部６４ａ）は、電動シャッター装置１Ｎ，１Ｓ，１Ｅ，１Ｗに対して開モードを実行する。即ち、採光制御部６４ａは、電動シャッター装置１Ｎのシャッターカーテン２０Ｎ、電動シャッター装置１Ｓのシャッターカーテン２０Ｓ、電動シャッター装置１Ｅのシャッターカーテン２０Ｅ、及び、電動シャッター装置１Ｗのシャッターカーテン２０Ｗを巻き上げて開く。ここで、起床時刻は、日の出時刻後の時刻として設定される。従って、シャッターカーテン２０Ｎ，２０Ｓ，２０Ｅ，２０Ｗを開くことにより、例えば、寝室に日射（朝日）が取り入れられ、住人は気持ちよく目覚めることができる。このように電動シャッター装置１Ｎ，１Ｓ，１Ｅ，１Ｗのシャッターカーテン２０Ｎ，２０Ｓ，２０Ｅ，２０Ｗを開くと、採光制御部６４ａはステップＳ１３に進む。
【００５０】
ステップＳ１３においては、制御部６４（採光制御部６４ａ）は、位置情報記憶部６５ａに記憶されている建物Ｈの位置情報と、設置位置情報記憶部６５ｃに記憶されている設置位置情報と、に基づいて、昼間において日射が最も弱い北側の電動シャッター装置１Ｎと、太陽の動きに応じて日射が変化する南側、東側及び西側の電動シャッター装置１Ｓ，１Ｅ，１Ｗと、を区別する。即ち、採光制御部６４ａは、日射制御の対象が北側の電動シャッター装置１Ｎであれば、「Ｙｅｓ」と判定してステップＳ１５に進む。この場合、採光制御部６４ａは、昼間において日射が最も弱い北側の電動シャッター装置１Ｎについては、昼間においてシャッターカーテン２０Ｎを開いた状態を維持し、日射制御、換言すれば、日射を調整することなく常に建物Ｈの室内が明るくなるようにする。一方、採光制御部６４ａは、日射制御の対象が南側、東側及び西側の電動シャッター装置１Ｓ，１Ｅ，１Ｗであれば、「Ｎｏ」と判定してステップＳ１４に進む。
【００５１】
ステップＳ１４においては、制御部６４（採光制御部６４ａ）は、南側、東側及び西側の電動シャッター装置１Ｓ，１Ｅ，１Ｗについて、図６に示す日射調整サブルーチンを実行する。以下、この日射調整サブルーチンを具体的に説明する。
【００５２】
日射調整サブルーチンは、図６に示すように、採光制御部６４ａによってステップＳ１００にて実行が開始される。続くステップＳ１０１にて、採光制御部６４ａは、位置情報記憶部６５ａに記憶されている位置情報と、暦情報記憶部６５ｂに記憶されている暦情報及び時刻情報と、設置位置情報記憶部６５ｃに記憶されている設置位置情報と、に基づき、南側、東側及び西側の窓部ＭＳ、窓部ＭＥ及び窓部ＭＷに直射日光が差し込む時間であるか否かを判定する。尚、以下の説明においては、日射制御の対象が建物Ｈの南側の方位に対応する電動シャッター装置１Ｓを主として例示する。
【００５３】
採光制御部６４ａは、位置情報及び暦情報から取得される現在の時刻における太陽の位置を表す太陽位置が、例えば、南東であれば、建物Ｈの南側の窓部ＭＳに直射日光が差し込む時間であるため、「Ｙｅｓ」と判定してステップＳ１０２に進む。一方、採光制御部６４ａは、現在の時刻において太陽位置が未だ東であれば、窓部ＭＳに直射日光が差し込む時間ではないため「Ｎｏ」と判定し、太陽位置が南東になるまでステップＳ１０１の判定処理を繰り返し実行する。
【００５４】
尚、日射制御の対象が建物Ｈの東側の方位に対応する電動シャッター装置１Ｅの場合、採光制御部６４ａは、現在の時刻において太陽位置が東であればステップＳ１０１にて「Ｙｅｓ」と判定してステップＳ１０２に進む。又、日射制御の対象が建物Ｈの西側の方位に対応する電動シャッター装置１Ｗの場合、採光制御部６４ａは、現在の時刻において太陽位置が南西であればステップＳ１０１にて「Ｙｅｓ」と判定してステップＳ１０２に進む。一方、現在の時刻において太陽位置が未だ東又は南であれば、窓部ＭＷに直射日光が差し込む時間ではないため「Ｎｏ」と判定し、太陽位置が南西になるまでステップＳ１０１の判定処理を繰り返し実行する。
【００５５】
ステップＳ１０２においては、採光制御部６４ａは、南側の電動シャッター装置１Ｓに対して開閉モードにより可動羽１００を全開の開状態にする。この場合、採光制御部６４ａは、開いているシャッターカーテン２０Ｓを一旦閉じるために、駆動回路６６に閉指令を出力する。これにより、駆動回路６６は、モータ３２を正転駆動させてシャッターカーテン２０Ｓを閉じる。
【００５６】
そして、採光制御部６４ａは、駆動回路６６に開方向旋回指令を出力する。これにより、駆動回路６６は、モータ３２Ｓを所定の回転数だけ正回転させて、スラット１０Ｓの可動羽１００Ｓを開方向に作動させて全開の開状態にする。これにより、建物Ｈの南側の室内には、図８に示すように、シャッターカーテン２０Ｓの開口部１２Ｓを介して日射が取り入れられる。尚、太陽位置によっては、電動シャッター装置１Ｓのスラット１０Ｓが既に開状態になっている場合がある。
【００５７】
再び、図６に戻り、採光制御部６４ａは、スラット１０Ｓの可動羽１００Ｓを開状態にすると、ステップＳ１０３に進む。この場合、東側の電動シャッター装置１Ｅ及び西側の電動シャッター装置１Ｗにおいては、シャッターカーテン２０Ｅ及びシャッターカーテン２０Ｗが開いた状態（開放状態）が維持されている。
【００５８】
尚、日射制御の対象が電動シャッター装置１Ｅの場合には、電動シャッター装置１Ｓと同様に、採光制御部６４ａは、閉指令を駆動回路６６に出力して、一旦、シャッターカーテン２０Ｅを閉じた後、開方向旋回指令を駆動回路６６に出力する。これにより、モータ３２Ｅが作動し、電動シャッター装置１Ｅのスラット１０Ｅの可動羽１００Ｅを開方向に作動させて全開の開状態にする。又、日射制御の対象が電動シャッター装置１Ｗの場合には、電動シャッター装置１Ｓと同様に、採光制御部６４ａは、閉指令を駆動回路６６に出力して、一旦、シャッターカーテン２０Ｗを閉じた後、開方向旋回指令を駆動回路６６に出力する。これにより、モータ３２Ｗが作動し、電動シャッター装置１Ｗのスラット１０Ｗの可動羽１００Ｗを開方向に作動させて全開の開状態にする。
【００５９】
ステップＳ１０３においては、採光制御部６４ａは、暦情報記憶部６５ｂに記憶されている暦情報及び時刻情報に基づき、南から窓部ＭＳへの日射が強くなる時間であるか否かを判定する。即ち、採光制御部６４ａは、暦情報から取得される現在の時刻における太陽位置が、例えば、南であれば、窓部ＭＳに差し込む日射が強くなる時間であるため、「Ｙｅｓ」と判定してステップＳ１０４に進む。一方、採光制御部６４ａは、現在の時刻において太陽位置が未だ南東であれば、窓部ＭＳに差し込む日射が強くなる時間ではないため「Ｎｏ」と判定し、太陽位置が南になるまでステップＳ１０３の判定処理を繰り返し実行する。
【００６０】
尚、日射制御の対象が電動シャッター装置１Ｅの場合、採光制御部６４ａは、現在の時刻において太陽位置が東であればステップＳ１０３にて「Ｙｅｓ」と判定してステップＳ１０４に進む。又、日射制御の対象が電動シャッター装置１Ｗの場合、採光制御部６４ａは、現在の時刻において太陽位置が西であればステップＳ１０３にて「Ｙｅｓ」と判定してステップＳ１０４に進む。一方、現在の時刻において太陽位置が未だ南西であれば、窓部ＭＷに差し込む日射が強くなる時間ではないため「Ｎｏ」と判定し、太陽位置が西になるまでステップＳ１０３の判定処理を繰り返し実行する。
【００６１】
ステップＳ１０４においては、採光制御部６４ａは、電動シャッター装置１Ｓ対して開閉調整モードによりスラット１０Ｓの可動羽１００Ｓの開量を調整する。即ち、採光制御部６４ａは、駆動回路６６に開量調整指令を出力する。これにより、駆動回路６６は、モータ３２を所定の回転数よりも少ない回転数だけ逆回転させて、スラット１０Ｓの可動羽１００Ｓを閉方向に作動させて全開よりも小さな開量となる半開状態にする。これにより、建物Ｈの室内には、図８に示すように、シャッターカーテン２０Ｓの開口部１２を介して取り入れられる日射（日射量）が調整されるため、強い直射日光が室内に差し込むことを和らげることができる。
【００６２】
又、ステップＳ１０４においては、採光制御部６４ａは、電動シャッター装置１Ｅ，１Ｗに対して開閉モードにより可動羽１００を全開の開状態にする。この場合、採光制御部６４ａは、開いているシャッターカーテン２０Ｅ，２０Ｗを一旦閉じるために、駆動回路６６に閉指令を出力する。これにより、駆動回路６６は、モータ３２Ｅ，３２Ｗを正転駆動させてシャッターカーテン２０Ｅ，２０Ｗを閉じる。そして、採光制御部６４ａは、駆動回路６６に開方向旋回指令を出力する。これにより、駆動回路６６は、モータ３２Ｅ，３２Ｗを所定の回転数だけ正回転させて、スラット１０Ｅ，１０Ｗの可動羽１００Ｅ，１００Ｗを開方向に作動させて全開の開状態にする。これにより、建物Ｈの室内には、シャッターカーテン２０Ｅ，２０Ｗの開口部１２Ｅ，１２Ｗを介して日射が取り入れられる。採光制御部６４ａは、スラット１０Ｓの可動羽１００Ｓを半開状態にするとともにスラット１０Ｅ，１０Ｗを全開の開状態にすると、ステップＳ１０５に進む。
【００６３】
ここで、太陽位置によっては、電動シャッター装置１Ｅ，１Ｗのスラット１０Ｅ，１０Ｗが既に開状態になっている場合がある。この場合には、ステップＳ１０４において、採光制御部６４ａがスラット１０Ｅ，１０Ｗを開状態に制御することを省略できることは言うまでもない。
【００６４】
尚、日射制御の対象が電動シャッター装置１Ｅの場合には、電動シャッター装置１Ｓと同様に、採光制御部６４ａは、開量調整指令を駆動回路６６に出力する。これにより、電動シャッター装置１Ｅのスラット１０Ｅの可動羽１００Ｅを半開状態にする。そして、採光制御部６４ａは、開方向旋回指令を駆動回路６６に出力することにより、電動シャッター装置１Ｓ，１Ｗのスラット１０Ｓ，１０Ｗを全開の開状態にする。又、日射制御の対象が電動シャッター装置１Ｗの場合には、電動シャッター装置１Ｓと同様に、採光制御部６４ａは、開量調整指令を駆動回路６６に出力する。これにより、電動シャッター装置１Ｗのスラット１０Ｗの可動羽１００Ｗを半開状態にする。そして、採光制御部６４ａは、開方向旋回指令を駆動回路６６に出力することにより、電動シャッター装置１Ｓ，１Ｅのスラット１０Ｓ，１０Ｅを全開の開状態にする。
【００６５】
ステップＳ１０５においては、採光制御部６４ａは、暦情報記憶部６５ｂに記憶されている暦情報及び時刻情報に基づき、南から窓部ＭＳへの日射が弱くなる時間であるか否かを判定する。即ち、採光制御部６４ａは、暦情報から取得される現在の時刻における太陽位置が、例えば、西であれば、窓部ＭＳに差し込む日射が弱くなる時間であるため、「Ｙｅｓ」と判定してステップＳ１０６に進む。一方、採光制御部６４ａは、現在の時刻において太陽位置が、例えば、未だ南西であれば、窓部ＭＳに差し込む日射が弱くなる時間ではないため「Ｎｏ」と判定し、太陽位置が西になるまでステップＳ１０５の判定処理を繰り返し実行する。
【００６６】
尚、日射制御の対象が電動シャッター装置１Ｅの場合、採光制御部６４ａは、現在の時刻において太陽位置が南であればステップＳ１０５にて「Ｙｅｓ」と判定してステップＳ１０６に進む。又、日射制御の対象が電動シャッター装置１Ｗの場合、採光制御部６４ａは、現在の時刻において太陽位置が日没直前であればステップＳ１０５にて「Ｙｅｓ」と判定してステップＳ１０６に進む。一方、現在の時刻において太陽位置が未だ西であれば、窓部ＭＷに差し込む日射が弱くなる時間ではないため「Ｎｏ」と判定し、太陽位置が日没直前になるまでステップＳ１０５の判定処理を繰り返し実行する。
【００６７】
ステップＳ１０６においては、採光制御部６４ａは、電動シャッター装置１Ｓに対して、開閉調整モードに代えて開閉モードにより可動羽１００Ｓを全開の開状態にする。即ち、採光制御部６４ａは、開閉調整指令に代えて駆動回路６６に開方向旋回指令を出力する。これにより、駆動回路６６は、モータ３２を所定の回転数だけ正回転させて、スラット１０Ｓの可動羽１００Ｓを開方向に作動させて、半開状態から全開の開状態にする。これにより、建物Ｈの室内には、シャッターカーテン２０Ｓの開口部１２Ｓを介して日射が取り入れられるようになり、室内の明るさを確保することができる。
【００６８】
採光制御部６４ａは、スラット１０Ｓの可動羽１００Ｓを全開の開状態にすると、ステップＳ１０７に進み、日射調整サブルーチンの実行を終了する。そして、採光制御部６４ａは、再び、図５に示す日射制御プログラムに戻り、ステップＳ１５を実行する。
【００６９】
尚、日射制御の対象が電動シャッター装置１Ｅの場合には、電動シャッター装置１Ｓと同様に、採光制御部６４ａは、開量調整指令に代えて開方向旋回指令を駆動回路６６に出力することにより、スラット１０Ｅを全開の開状態にする。又、日射制御の対象が電動シャッター装置１Ｗの場合には、電動シャッター装置１Ｓと同様に、採光制御部６４ａは、開量調整指令に代えて開方向旋回指令を駆動回路６６に出力することにより、スラット１０Ｗを全開の開状態にする。
【００７０】
ここで、太陽位置によっては、電動シャッター装置１Ｅ，１Ｗのスラット１０Ｅ，１０Ｗが既に開状態になっている場合がある。この場合には、ステップＳ１０６において、採光制御部６４ａがスラット１０Ｅ，１０Ｗを開状態に制御することを省略できることは言うまでもない。
【００７１】
再び図５の日射制御プログラムに戻り、制御部６４（採光制御部６４ａ）は、ステップＳ１５にて、屋外が暗くなる日の入り時刻であるか否かを判定する。即ち、採光制御部６４ａは、暦情報記憶部６５ｂに記憶されている暦情報に基づく日の入り時刻と、時刻情報に基づく現在の時刻と、を比較して、現在、日の入り時刻であるであれば「Ｙｅｓ」と判定してステップＳ１６に進む。一方、採光制御部６４ａは、現在の時刻が未だ日の入り時刻前であれば「Ｎｏ」と判定し、現在の時刻が日の入り時刻となるまで繰り返しステップＳ１５を実行する。
【００７２】
ステップＳ１６においては、制御部６４（遮光制御部６４ｂ）は、電動シャッター装置１Ｎ，１Ｓ，１Ｅ，１Ｗに対して閉モードを実行する。即ち、遮光制御部６４ｂは、シャッターカーテン２０Ｎ，２０Ｓ，２０Ｅ，２０Ｗを閉じる。これにより、建物Ｈの建物開口である窓部ＭＮ，ＭＳ，ＭＥ，ＭＷが閉鎖され、電動シャッター装置１Ｎ，１Ｓ，１Ｅ，１Ｗの防犯機能が発揮される。そして、制御部６４（遮光制御部６４ｂ）は、電動シャッター装置１Ｎ，１Ｓ，１Ｅ，１Ｗに対して閉モードを実行すると、ステップＳ１７に進み、日射制御プログラムの実行を終了する。
【００７３】
以上の説明からも理解できるように、上記実施形態の電動シャッター装置１は、建物Ｈの建物開口である窓部Ｍの一側（天井側）から他側である下枠５０（床面側）に向けて延設された案内溝４０ａを有するガイドレール４０と、帯状の両端部が案内溝４０ａに係合していて案内溝４０ａに沿って移動可能且つ両端部を結ぶ軸線の回りに回転不能とされて案内溝４０ａに沿った方向にて互いに連結された複数のスラット１０、及び、スラット１０に連結されていて他側に当接する座板１１、を含み、窓部Ｍを開放し又は閉鎖するシャッターカーテン２０と、一側（天井側）に設けられて、シャッターカーテン２０のスラット１０を下枠５０（床面側）から一側（天井側）に向けて移動させることによりシャッターカーテン２０を巻き取るとともにスラット１０を一側（天井側）から下枠５０（床面側）に向けて移動させることによりシャッターカーテン２０を引き出すモータ３２と、モータ３２を駆動させる駆動回路６６を介してモータ３２の作動を制御する制御装置６０と、を備える。
【００７４】
制御装置６０は、建物Ｈが存在する存在位置（都道府県、経度及び緯度）を表す位置情報を記憶する位置情報記憶部６５ａと、位置情報記憶部６５ａに記憶された位置情報によって表される存在位置に応じて異なる太陽の日の出時刻及び日の入り時刻を表す暦情報を記憶する暦情報記憶部６５ｂと、シャッターカーテン２０の設置された設置位置を建物Ｈの北側、南側、東側及び西側の方位に対応させて設置位置情報として記憶する設置位置情報記憶部６５ｃと、日の出時刻後から日の入り時刻以前までの昼間において、位置情報記憶部６５ａに記憶された位置情報及び暦情報記憶部６５ｂに記憶された暦情報から取得された太陽の位置を表す太陽位置と、設置位置情報記憶部６５ｃに記憶された設置位置情報から取得されたシャッターカーテン２０の設置位置と、に応じて、シャッターカーテン２０を構成する複数のスラット１０の少なくとも一部を一側（天井側）であるシャッターボックス３０に向けて移動させるようにモータ３２を作動させてシャッターカーテン２０の少なくとも一部を開き、太陽の日射を建物Ｈの室内に取り入れる採光状態にシャッターカーテン２０を制御する採光制御部６４ａと、を備えるように構成される。
【００７５】
この場合、より具体的に、スラット１０は、開口部１２を有する固定羽１０１と、固定羽１０１に重なるように連結されていて、隣接するスラット１０が案内溝４０ａに沿って互いに離間する方向に相対移動することに伴って開口部１２を閉じるとともにスラット１０が案内溝４０ａに沿って互いに接近する方向に相対移動することに伴って開口部１２を開く可動羽１００と、を有する。
【００７６】
これらによれば、シャッターカーテン２０を巻き取り及び引き出すモータ３２のみを作動させて、複数のスラット１０の一部を移動させることにより少なくともシャッターカーテン２０の少なくとも一部、具体的には、スラット１０を構成する可動羽１００を開き、開口部１２を介して太陽の日射を建物の室内に取り入れる採光状態になる電動シャッター装置１において、採光制御部６４ａは、建物Ｈの室内に導入される日射を制御することができる。これにより、室内に導入される日射（日射量）を制御するために、各スラット１０の角度を増減調整するために別途モータ等を備える必要がない。従って、安価な構成とされた電動シャッター装置１を用いて、室内に導入される日射を制御することができる。
【００７７】
又、これらの場合、採光制御部６４ａは、設置位置情報記憶部６５ｃに記憶された設置位置情報に基づき、建物Ｈの北側に設置されたシャッターカーテン２０Ｎの全部が開くようにモータ３２Ｎを作動させるとともに、建物の南側、東側及び西側のうちの何れかの方位に対応して設置されたシャッターカーテン２０において、昼間にて暦情報記憶部６５ｂに記憶された暦情報に基づいて太陽が位置する太陽位置がシャッターカーテン２０の設置された方位（例えば、南側）となる場合、南側に設けられたシャッターカーテン２０Ｓの一部を開くようにモータ３２Ｓを作動させ、昼間にて太陽位置と異なる方位（例えば、東側及び西側）に設けられたシャッターカーテン２０Ｅ，２０Ｗの全部が開くようにモータ３２Ｅ，３２Ｗを作動させる。
【００７８】
これによれば、採光制御部６４ａは、建物Ｈの北側に設置されて日射の最も弱いシャッターカーテン２０Ｎを開モードにより作動させ、太陽位置と設置された方位が一致することによって日射が強くなる方位（例えば、南側）のシャッターカーテン２０Ｓを開閉モードにより作動させ、未だ日射が強くない方位（例えば、東側及び西側）のシャッターカーテン２０Ｅ，２０Ｗを開モードにより作動させることができる。これにより、採光制御部６４ａは、室内に導入される日射を適切に制御することができるとともに、室内の明るさを良好に確保することができる。
【００７９】
この場合、採光制御部６４ａは、太陽位置がシャッターカーテン２０の設置された方位（例えば、南側）となる場合、南側に設けられたシャッターカーテン２０Ｓにおける複数のスラット１０の少なくとも一部を一側（天井側）又は他側である下枠５０（床面側）に向けて移動させるようにモータ３２Ｓを作動させて、シャッターカーテン２０Ｓを介して室内に入る太陽の日射量を調整する。
【００８０】
これによれば、採光制御部６４ａは、太陽位置と設置された方位が一致することによって日射が強くなる方位（例えば、南側）のシャッターカーテン２０Ｓを開量調整モードにより作動させることができる。これにより、採光制御部６４ａは、室内に入る太陽の日射量を適切に調整し、過剰な日射が室内に入ることを抑制することができる。従って、例えば、夏において日射が入ることによる室温の上昇を適切に抑制することができ、効率よく室内を冷房することができる。
【００８１】
又、これらの場合、制御装置６０は、昼間において任意に設定される設定時刻として起床時刻を表す設定時刻情報を記憶する設定時刻情報記憶部６５ｄを有しており、採光制御部６４ａは、設定時刻情報記憶部６５ｄに記憶された設定時刻情報によって表される起床時刻に、シャッターカーテン２０Ｎ，２０Ｓ，２０Ｅ，２０Ｗを採光状態に制御する。
【００８２】
これによれば、採光制御部６４ａは、住人の起床時刻に合わせて室内に直射日光（日射）を入れることができる。これにより、住人は、気持ちよく起床することができる。
【００８３】
尚、上記実施形態においては、建物Ｈの室内に取り込まれる日射を制御することが効果的な夏の場合を例示して説明した。これに対して、冬の場合には、積極的に室内に日射を取り入れることによって室内の温度を高めることができる。このため、冬の場合には、上述した採光制御部６４ａによる開閉モード及び開閉調整モードの実行を禁止することも可能である。この場合には、採光制御部６４ａは、暦情報記憶部６５ｂに記憶されたカレンダー情報に基づいて季節を冬と判定する場合、或いは、室内温度センサ６２ｂによって検出された室温及び室外温度センサ６２ｃによって検出された外気温に基づいて冬と判定する場合に、開閉モード及び開閉調整モードを禁止することができる。
【００８４】
（第一変形例）
上記実施形態においては、可動羽１００及び固定羽１０１を有し、且つ、固定羽１０１に開口部１２の設けられた複数のスラット１０から構成されるシャッターカーテン２０を備えた電動シャッター装置１を用いるようにした。これに代えて、図９に示すように、複数のスラット１３が連結部材１４によって上下方向の遊びを有して連結され、且つ、連結部材１４に開口部１５の設けられたシャッターカーテン２０を備えた電動シャッター装置１を用いることも可能である。
【００８５】
この第一変形例における電動シャッター装置１においても、シャッターカーテン２０は、上記実施形態及び第一変形例と同様に、帯状のスラット１３の幅方向の両端部が床面側に設置された下枠５０から天井側にかけて立設されるガイドレール４０に係合され、案内溝４０ａによってガイドされる。これにより、スラット１３は、案内溝４０ａに沿って移動可能且つ両端部を結ぶ軸線（図示省略）の回りに回転不能とされる。そして、ドラム３１及びドラム３１に巻き取られたスラット１３（シャッターカーテン２０）は、シャッターボックス３０内に収容されるようになっている。
【００８６】
この第一変形例におけるシャッターカーテン２０は、図９に示すように、複数のスラット１３と、下枠５０（床面側）に当接する座板１６と、から構成されている。これにより、この第一変形例においても、座板１６が下枠５０（床面側）に当接してシャッターカーテン２０（電動シャッター装置１）が閉じられた場合においては、例えば、モータ３２の回転がロックされて、建物Ｈの外部（室外）から、シャッターカーテン２０をシャッターボックス３０に向けて、即ち、上方に向けて持ち上げる（巻き取る）ことが不能になる。
【００８７】
この第一変形例において、シャッターカーテン２０を構成する複数のスラット１３は、それぞれ、図１０及び図１１に示すように、上側に位置するスラット１３と下側に位置するスラット１３とが、連結部材１４によって上下方向に遊びを有して連結される。そして、連結部材１４には、複数のスリット状の孔から構成される開口部１５が形成される。ここで、開口部１５を有する連結部材１４は、シャッターカーテン２０を構成する複数の連結部材１４のうち、少なくとも一つ以上設けられていれば良い。又、開口部１５は、連結部材１４（スラット１３）の幅方向のうち、一部が開口されることによって構成されても良い。更に、開口部１５は、スリット孔に金網等が設けられても良い。
【００８８】
次に、第一変形例における電動シャッター装置１の作動を説明する。「開モード」においては、制御部６４の採光制御部６４ａは、開指令を駆動回路６６に出力することにより、モータ３２が逆転駆動してシャッターカーテン２０が巻き取られる。「閉モード」においては、制御部６４の遮光制御部６４ｂは、閉指令を駆動回路６６に出力することにより、モータ３２が正転駆動してシャッターカーテン２０が引き出される。これにより、座板１６が下枠５０（床面側）に当接するとともに各スラット１３が上下方向にて互いに接触した状態になり、電動シャッター装置１が閉じた状態になる。
【００８９】
又、「開閉モード」においては、採光制御部６４ａは、上記実施形態における「開方向旋回指令」に相当する「離間指令」、又は、「閉方向旋回指令」に相当する「接近指令」を駆動回路６６に出力することにより、シャッターカーテン２０が閉じた状態で、モータ３２が所定の回転数だけ（遊びの分だけ）逆回転して各スラット１３を互いに離間させる。これにより、採光制御部６４ａが離間指令を出力した場合には、図１０に示すように、スラット１３同士が上下方向にて互いに離間して開口部１５が露出する開状態になる。開状態においては、開口部１５を介して室外から室内に向けて光や風の通過が可能となる。一方、採光制御部６４ａが接近指令を出力した場合には、図１１に示すように、スラット１３同士が上下方向にて互いに接触して開口部１５が露出しない閉状態になる。閉状態においては、開口部１５を介して室外から室内に向けて光や風の通過が遮断される。
【００９０】
更に、「開閉調整モード」においては、採光制御部６４ａは、離間したスラット１３同士の間隔を小さくして全開の開口部１５の露出量よりも小さい露出量となるように、「開量調整指令」に相当する「間隔調整指令」を駆動回路６６に出力する。これにより、開口部１５の全体を露出させるようにスラット１３同士が最大に離間した全開の開状態において、モータ３２を所定の回転数よりも少ない回転数だけ正回転させてスラット１３同士を接近させ、開口部１５を開状態の露出量よりも小さい露出量となる半開状態にする。又は、スラット１３同士が互いに接触した閉状態において、モータ３２を所定の回転数よりも少ない回転数だけ逆回転させてスラット１３同士を離間させて、開口部１５を露出量の小さい半開状態にする。尚、第一変形例においては、開閉調整モードが実行された場合のシャッターカーテン２０は、シャッターボックス３０の側となる上部の複数のスラット１３の開口部１５のみが開状態、又は、開口部１５の全部が半開状態になる。
【００９１】
従って、制御部６４（採光制御部６４ａ及び遮光制御部６４ｂ）が図５に示す上記実施形態の日射制御プログラム、及び、採光制御部６４ａが図６に示す日射調整制御ルーチンを実行することにより、図１２に示すように、第一変形例の電動シャッター装置１を用いて上記実施形態と同様に建物Ｈの室内に取り入れる日射を制御することができる。従って、この第一変形例においても、上記実施形態と同様の効果が得られる。
【００９２】
尚、この第一変形例においても、日射制御に伴って建物Ｈの南側に設置される電動シャッター装置１Ｓ、東側に設置される電動シャッター装置１Ｅ、及び、西側に設置される電動シャッター装置１Ｗとして区別する場合、図１２に示すように、電動シャッター装置１Ｓ，１Ｅ，１Ｗを構成する各部材については、それぞれの符号末尾に、「Ｓ」，「Ｅ」，「Ｗ」が付される。
【００９３】
（第二変形例）
上記実施形態及び上記第一変形例においては、電動シャッター装置１のシャッターカーテン２０が開口部１２、開口部１５を有しており、開口部１２，１５を開閉することにより、建物Ｈの室内に取り入れられる日射を制御するようにした。
【００９４】
これに対して、図１３に示すように、スラットに開口部を有しない一般的な電動シャッター装置１であっても、室内に取り入れられる日射を制御することができる。この第二変形例における電動シャッター装置１は、複数のスラット１７が連結されるとともに、窓部Ｍに設けられた下枠５０の側に座板１８が連結されてシャッターカーテン２０が構成される。この第二変形例の場合、採光制御部６４ａは、下枠５０（他側である床面側）とシャッターカーテン２０を構成する座板１８との間の離間距離としての隙間Ｋの大きさを、北側、南側、東側、西側、即ち、太陽位置に応じて調整することにより、室内に取り入れられる日射を制御することができる。
【００９５】
従って、上記実施形態及び上記第一変形例の場合に比べて日射の制御精度が若干悪化する場合があるものの、この第二変形例においても、上記実施形態及び上記第一変形例と同等の効果が期待できる。
【００９６】
ここで、採光制御部６４ａは、暦情報記憶部６５ｂに記憶された暦情報に基づいて、現在の時刻における太陽の高度である太陽高度を取得することができる。このため、採光制御部６４ａは、下枠５０と座板１８との間の離間距離としての隙間Ｋを調整する場合、例えば、図１４に示すように、太陽高度が高くなる夏においては隙間Ｋを大きくし、図１５に示すように太陽高度が低くなる冬においては隙間Ｋを小さくすることにより、室内に進入する直射日光の進入長さＬを一定にすることができる。従って、採光制御部６４ａは、取得した太陽高度（太陽の高度）が高い場合と低い場合とに応じて、開指令又は閉指令を駆動回路６６に出力し、駆動回路６６がモータ３２の正転駆動又は逆転駆動させて隙間Ｋを増減することにより、進入長さＬを一定にすることができる。このように、進入長さＬを一定にすることによって、例えば、夏において建物Ｈの室温が高温になることが効果的に抑制されたり、進入した直射日光によって光る床面がテレビ画面に映りこむことを防止したりすることができる。
【００９７】
本発明の実施にあたっては、上記実施形態及び上記各変形例に限定されるものではなく、本発明の目的を逸脱しない限りにおいて種々の変形が可能である。
【００９８】
例えば、上記実施形態及び上記各変形例においては、建物Ｈの北側、南側、東側、西側の窓部ＭＮ，ＭＳ，ＭＥ，ＭＷに電動シャッター装置１Ｎ，１Ｓ，１Ｅ，１Ｗを設置するようにした。これに代えて、例えば、集合住宅のように、建物Ｈの北側、南側、東側、西側の窓部ＭＮ，ＭＳ，ＭＥ，ＭＷの何れかにのみ電動シャッター装置１を設けることも可能である。
【００９９】
又、上記実施形態及び上記各変形例においては、晴れて太陽に日射がある場合に電動シャッター装置１を日射制御するようにした。これに代えて、又は、加えて、採光制御部６４ａは、暦情報記憶部６５ｂに記憶された気象情報に基づいて、太陽の日射が弱い曇りや太陽の日射がない雨の場合に応じて、電動シャッター装置１を日射制御することも可能である。このように日射が晴れに比べて弱い場合には、例えば、冬の場合と同様に、採光制御部６４ａは、開閉調整モードを実行することなく、開閉モードのみを実行することにより、室内に取り入れられる日射を良好に制御することができる。尚、気象情報に基づいて、台風等の強風により物の飛散が想定される状況においては、採光制御部６４ａは開閉モードも省略し、優先的に、遮光制御部６４ｂが閉モードを実行することも可能である。
【符号の説明】
【０１００】
１（１Ｎ，１Ｓ，１Ｅ，１Ｗ）…電動シャッター装置、１０（１０Ｎ，１０Ｓ，１０Ｅ，１０Ｗ）…スラット、１１…座板、１２（１２Ｓ，１２Ｅ，１２Ｗ）…開口部、１３（１３Ｓ，１３Ｅ，１３Ｗ）…スラット、１４（１４Ｓ，１４Ｅ，１４Ｗ）…連結部材、１５（１５Ｓ，１５Ｅ，１５Ｗ）…開口部、１６…座板、１７…スラット、１８…座板、２０（２０Ｎ，２０Ｓ，２０Ｅ，２０Ｗ）…シャッターカーテン、３０…シャッターボックス、３１…ドラム、３２…モータ、４０…ガイドレール、４０ａ…案内溝、５０…下枠、６０…制御装置、６１…操作部、６１ａ…開スイッチ、６１ｂ…停止スイッチ、６１ｃ…閉スイッチ、６１ｄ…設定入力スイッチ、６２…検出部、６２ａ…当接検知センサ、６２ｂ…室内温度センサ、６２ｃ…室外温度センサ、６３…外部通信部、６４…制御部、６４ａ…採光制御部、６４ｂ…遮光制御部、６５…記憶部、６５ａ…位置情報記憶部、６５ｂ…暦情報記憶部、６５ｃ…設置位置情報記憶部、６５ｄ…設定時刻情報記憶部、６６…駆動回路、１００（１００Ｓ，１００Ｅ，１００Ｗ）…可動羽、１００ａ…下前フック、１００ｂ…上前フック、１００ｃ…中前フック、１０１…固定羽、１０１ａ…上後フック、１０１ｂ…下後フック、１０１ｃ…突起、Ｈ…建物、Ｋ…隙間（離間距離）、Ｍ（ＭＮ，ＭＳ，ＭＥ，ＭＷ）…窓部、ｘ…先端部、ｙ…当接面
【図１】
2019085854.tif 000003
【図２】
2019085854.tif 000004
【図３】
2019085854.tif 000005
【図４】
2019085854.tif 000006
【図５】
2019085854.tif 000007
【図６】
2019085854.tif 000008
【図７】
2019085854.tif 000009
【図８】
2019085854.tif 000010
【図９】
2019085854.tif 000011
【図１０】
2019085854.tif 000012
【図１１】
2019085854.tif 000013
【図１２】
2019085854.tif 000014
【図１３】
2019085854.tif 000015
【図１４】
2019085854.tif 000016
【図１５】
2019085854.tif 000017